(57)【要約】  ダブルカメラベースの撮像の方法と装置が提供される。本方法は以下の操作を含む。第１の画像は主カメラにより取得され、第２の画像は補助カメラにより取得される。主画像解像度および補助画像解像度が、それぞれ決定された撮影モードおよび主カメラと補助カメラの解像度に従って決定される。第１の画像は、主画像解像度の主画像に変換される。第２の画像は、第２の画像に従って補助画像解像度の補助画像に変換される。必要なターゲット画像は、主画像および補助画像に従って取得される。
2020533883.tif 000002
【特許請求の範囲】
【請求項１】
ダブルカメラベースの撮像のための方法であって、
主カメラにより第１の画像を取得し、補助カメラにより第２の画像を取得するステップと、
選択された撮影モードを決定するステップと、
前記撮影モードおよび前記主カメラの解像度に従って主画像解像度を決定し、前記撮影モードおよび前記補助カメラの解像度に従って補助画像解像度を決定するステップと、
前記第１の画像を前記主画像解像度の主画像に変換するステップと、
前記第２の画像を前記補助画像解像度の補助画像に変換するステップと、
前記主画像および前記補助画像に従って必要なターゲット画像を取得するステップと、
を含む方法。
【請求項２】
前記主画像および前記補助画像に従って前記必要なターゲット画像を取得するステップは、
前記主画像および前記補助画像に従って前記主画像の奥行き情報を取得するステップと、
前記必要なターゲット画像を取得するために、前記主画像の前記奥行き情報に従って前記主画像にぼかし処理を実行するステップと、
を含む、請求項１に記載の方法。
【請求項３】
前記撮影モードおよび前記主カメラの前記解像度に従って前記主画像解像度を決定するステップは、
前記主カメラの前記解像度および前記撮影モードに対応する調整係数に従って前記主画像解像度を取得するステップを含む、請求項１に記載の方法。
【請求項４】
前記撮影モードおよび前記補助カメラの前記解像度に従って前記補助画像解像度を決定するステップは、
前記補助カメラの前記解像度および前記撮影モードに対応する前記調整係数に従って前記補助画像解像度を取得するステップを含む、請求項１に記載の方法。
【請求項５】
前記撮影モードは、フルレングスモードおよびハーフレングスモードを含み、前記フルレングスモードは、前記ハーフレングスモードに対応する調整係数よりも高い調整係数を有する、請求項３または４に記載の方法。
【請求項６】
前記第１の画像を前記主画像解像度の前記主画像に変換するステップは、
前記第１の画像の解像度が前記主画像解像度よりも高い場合、前記主画像解像度の前記主画像を取得するために前記第１の画像をトリミングするステップを含む、請求項１に記載の方法。
【請求項７】
前記第２の画像を前記補助画像解像度の前記補助画像に変換するステップは、
前記第２の画像の解像度が前記補助画像解像度よりも高い場合、前記補助画像解像度の前記補助画像を取得するために前記第２の画像をトリミングするステップを含む、請求項１に記載の方法。
【請求項８】
前記ダブルカメラは第１のカメラおよび第２のカメラを含み、前記第１のカメラの解像度は前記第２のカメラの解像度よりも高く、前記第２のカメラのＩＳＯ（国際標準化機構）値は、前記第１のカメラのＩＳＯ値よりも高く、前記主カメラにより前記第１の画像を取得し、前記補助カメラにより前記第２の画像を取得するステップの前に、本方法は、
周囲輝度がしきい値輝度よりも高い場合に、前記第１のカメラを前記主カメラとして決定し、前記第２のカメラを前記補助カメラとして決定するステップと、
前記周囲輝度が前記しきい値輝度よりも高い場合に、前記第２のカメラを前記主カメラとして決定し、前記第１のカメラを前記補助カメラとして決定するステップと、
をさらに含む、請求項１に記載の方法。
【請求項９】
前記必要なターゲット画像を取得するために、前記主画像の前記奥行き情報に従って前記主画像にぼかし処理を実行するステップの後に、前記方法は、
前記主画像解像度が前記補助画像解像度よりも低い場合に、前記ターゲット画像に対してアップサンプリングを実行するステップであって、前記アップサンプリングされたターゲット画像の解像度は前記補助画像解像度に等しい、ステップをさらに含む、請求項２から４のいずれか一項に記載の方法。
【請求項１０】
ダブルカメラベースの撮像のための装置であって、
主カメラにより撮影された第１の画像を取得し、補助カメラにより撮影された第２の画像を取得するように構成された取得モジュールと、
選択された撮影モードを決定し、前記撮影モードおよび前記主カメラの解像度に従って主画像解像度を決定し、前記撮影モードおよび前記補助カメラの解像度に従って補助画像解像度を決定するように構成された決定モジュールであって、前記撮影モードは、フルレングスモードおよびハーフレングスモードを含む、決定モジュールと、
前記第１の画像に従って前記主画像解像度の主画像を生成し、前記第２の画像に従って前記補助画像解像度の補助画像を生成するように構成された生成モジュールと、
前記主画像および前記補助画像に従って必要なターゲット画像を取得するように構成された処理モジュールと、
を含む装置。
【請求項１１】
前記主画像および前記補助画像に従って前記主画像の奥行き情報を取得するように構成された被写界深度モジュールをさらに含み、
前記処理モジュールは、前記必要なターゲット画像を取得するために、前記主画像の前記奥行き情報に従って前記主画像にぼかし処理を実行するように構成される、請求項１０に記載の装置。
【請求項１２】
前記決定モジュールは、前記主カメラの前記解像度および前記撮影モードに対応する前記調整係数に従って前記主画像解像度を取得し、前記補助カメラの前記解像度および前記撮影モードに対応する前記調整係数に従って前記補助画像解像度を取得するように構成される、請求項１０に記載の装置。
【請求項１３】
プロセッサと、命令を格納するメモリとを含み、前記命令は、前記プロセッサによって実行されると、前記プロセッサに請求項１から９のいずれか一項に記載の方法を実行させる、モバイル端末。
【請求項１４】
第１のカメラおよび第２のカメラを含むダブルカメラであって、前記第１のカメラの解像度は前記第２のカメラの解像度よりも高く、前記第２のカメラのＩＳＯは前記第１のカメラのＩＳＯよりも高く、前記第１のカメラと前記第２のカメラの被写界角度は同じである、ダブルカメラをさらに含み、
前記プロセッサ（１１１５）は、前記命令を実行して、前記ダブルカメラの主カメラおよび補助カメラを決定し、撮影するように前記主カメラおよび前記補助カメラを制御する、請求項１４に記載のモバイル端末。
【請求項１５】
コンピュータプログラムが格納され、前記コンピュータプログラムが、プロセッサによって実行されて、請求項１から９のいずれか一項に記載の方法を実施する、コンピュータ可読記憶媒体。
【発明の詳細な説明】
【技術分野】
【０００１】
本開示は、モバイル端末の技術分野に関し、特に、ダブルカメラベースの撮像のための方法および装置に関する。
【背景技術】
【０００２】
ますます多くのモバイル端末機器にダブルカメラが装備されている。従来技術では、ダブルカメラの一方が写真を撮るために採用され、他方のカメラが後続の画像ぼかし処理のために写真の奥行き情報の計算を支援するために採用されている。
【０００３】
しかし、従来のダブルカメラの場合、画像が撮影された後に、通常、その後の画像処理に固定解像度が採用される。これにより、機能が比較的多様化せず、ユーザが要件に従って解像度を調整することができなくなる。
【発明の概要】
【課題を解決するための手段】
【０００４】
第１の態様によれば、ダブルカメラベースの撮像のための方法が開示され、それは以下の操作を含んでもよい。第１の画像は主カメラにより取得され、第２の画像は補助カメラにより取得される。選択された撮影モードが決定される。撮影モードと主カメラの解像度に従って主画像解像度が決定され、撮影モードと補助カメラの解像度に従って補助画像解像度が決定される。第１の画像は、主画像解像度の主画像に変換される。第２の画像は、補助画像解像度の補助画像に変換される。必要なターゲット画像は、主画像および補助画像に従って取得される。
【０００５】
第２の態様によれば、ダブルカメラベースの撮像のための装置が提供される。装置は、取得モジュール、決定モジュール、生成モジュール、および処理モジュールを含む。取得モジュールは、主カメラにより撮影された第１の画像を取得し、補助カメラにより撮影された第２の画像を取得するように構成される。決定モジュールは、選択された撮影モードを決定し、撮影モードおよび主カメラの解像度に従って主画像解像度を決定し、撮影モードおよび補助カメラの解像度に従って補助画像解像度を決定するように構成され、撮影モードは、フルレングスモード（ｆｕｌｌ−ｌｅｎｇｔｈ  ｍｏｄｅ）およびハーフレングスモード（ｈａｌｆ−ｌｅｎｇｔｈ  ｍｏｄｅ）を含む。生成モジュールは、第１の画像に従って主画像解像度の主画像を生成し、第２の画像に従って補助画像解像度の補助画像を生成するように構成される。処理モジュールは、主画像および補助画像に従って必要なターゲット画像を取得するように構成される。
【０００６】
第３の態様によれば、モバイル端末が提供される。モバイル端末は、プロセッサと命令を格納するメモリとを含み、命令は、プロセッサによって実行されると、プロセッサに第１の態様によるダブルカメラベースの撮像のための方法を実行させる。
【０００７】
第３の態様によれば、非一時的なコンピュータ可読記憶媒体が開示される。第１の態様によるダブルカメラベースの撮像のための方法を実施するために、プログラムがプロセッサによって実行されてもよい。
【図面の簡単な説明】
【０００８】
本開示の上記および／または追加の態様および利点は、図面と組み合わせて以下の実施形態に対してなされる説明から明らかになり、理解しやすくなるであろう。
【図１】本開示の一実施形態によるダブルカメラベースの撮像のための方法のフローチャートである。
【図２】三角測距原理の概略図である。
【図３】本開示の一実施形態によるダブルカメラベースの撮像のための別の方法のフローチャートである。
【図４】本出願の一実施形態によるダブルカメラベースの撮像のための装置の構成図である。
【図５】本出願の一実施形態によるダブルカメラベースの撮像のための別の装置の構成図である。
【図６】本開示の別の実施形態による端末機器の構成図である。
【図７】一実施形態による画像処理回路の概略図である。
【発明を実施するための形態】
【０００９】
以下、本開示の実施形態について詳細に説明する。実施形態の例が図面に示されており、同一または類似の符号は、常に同一もしくは類似の構成要素または同一もしくは類似の機能を備えた構成要素を表す。図面を参照して以下に説明する実施形態は例示であり、本開示を説明することを意図しており、本開示に対する限定として理解するべきではない。
【００１０】
本開示の実施形態のダブルカメラベースの撮像のための方法および装置について、図面を参照して以下で説明する。
【００１１】
図１は、本開示の一実施形態によるダブルカメラベースの撮像のための方法のフローチャートである。
【００１２】
図１に示すように、ダブルカメラベースの撮像のための方法は以下の操作を含む。
【００１３】
Ｓ１０１では、主カメラにより第１の画像が取得され、補助カメラにより第２の画像が取得される。
【００１４】
本実施形態の方法は、ダブルカメラを含むモバイル端末に適用される。便宜的な区別のために、ダブルカメラをそれぞれ第１のカメラおよび第２のカメラと呼んでもよい。第１のカメラおよび第２のカメラは、一方が撮像用に構成される第１の画像を取得する主カメラとして機能し、他方が基準として被写界深度を算出するように構成される第２の画像を取得する補助カメラとして機能する。
【００１５】
可能な実施モードとして、比較的良好な撮像効果を達成するために、第１のカメラの解像度は第２のカメラの解像度よりも高く、第２のカメラのＩＳＯ（国際標準化機構）値は第１のカメラのＩＳＯ値よりも高い。主カメラおよび補助カメラは、撮影シナリオに従って第１のカメラおよび第２のカメラから選択されてもよい。具体的には、主カメラで第１の画像を取得し、補助画像で第２の画像を取得する前に、周囲輝度を決定し、周囲輝度に従ってダブルカメラの主カメラと補助カメラを決定する必要があり、撮像のために撮影される第１の画像および被写界深度の計算のために撮影される第２の画像は、それぞれ決定された主カメラおよび補助カメラに従って取得される。後続の実施形態では、このプロセスはより詳細に説明され、本実施形態では詳述されない。
【００１６】
Ｓ１０２では、選択された撮影モードが決定される。
【００１７】
具体的には、撮影モードには、フルレングスモードとハーフレングスモードが含まれる。フルレングスモードは、ポートレート撮影中にフルレングスのポートレートを撮影する必要があるシナリオに適用される。ユーザがフルレングスモードを選択すると、ユーザは通常、ビューファインディング中にファインダーフレーム内のポートレート全体を見つけることができる。
【００１８】
ハーフレングスモードは、ポートレート撮影中にハーフレングスのポートレートを撮影する必要があるシナリオに適用される。本明細書で言及されるハーフレングスのポートレートは、通常、上半身、すなわち頭部と上半身である。ユーザがハーフレングスモードを選択すると、ユーザは通常、ビューファインディング中にファインダーフレーム内の上半身のポートレートを見つけることができる。
【００１９】
可能な実施モードとして、モバイル端末の撮影プレビューインターフェースに制御を提供し、ユーザが制御を介して撮影モードを選択できるようにする。
【００２０】
Ｓ１０３では、撮影モードと主カメラの解像度に従って主画像解像度が決定され、撮影モードと補助カメラの解像度に従って補助画像解像度が決定される。
【００２１】
具体的には、撮影モードがフルレングスモードである場合には、主カメラの解像度と、決定された主カメラの解像度に応じたフルレングスモードに対応する調整係数との乗算演算が実行されて、主画像解像度が得られ、補助カメラの解像度と、決定された補助カメラの解像度に応じたフルレングスモードに対応する調整係数との乗算演算が実行され、補助画像解像度が得られる。
【００２２】
本明細書で言及される調整係数は、画像解像度調整プロセスにおける調整された解像度と調整されていない解像度との間の比例関係を示すように構成される。ここで、調整係数の値の範囲は１より大きく、０〜１である。具体的には、調整された解像度が調整されていない解像度よりも高い場合には、調整係数の値は１より大きく、調整された解像度が調整されていない解像度より低い場合には、調整係数の値は０〜１である。
【００２３】
撮影モードがハーフレングスモードである場合には、主カメラの解像度と、決定された主カメラの解像度に応じたハーフレングスモードに対応する調整係数との乗算演算が実行されて、主画像解像度が得られ、乗算演算は、補助カメラの解像度と、決定された補助カメラの解像度に応じたハーフレングスモードに対応する調整係数に対して実行される。
【００２４】
フルレングスモードに対応する調整係数は、ハーフレングスモードに対応する調整係数よりも高いことに留意されたい。
【００２５】
Ｓ１０４では、第１の画像が主画像解像度の主画像に変換される。
【００２６】
第１の画像は主カメラにより撮影され、第１の画像の解像度は主カメラの解像度と同じであり、主画像解像度は主カメラの解像度に撮影モードに対応する調整係数を乗算することによって得られる。したがって、撮影モードに対応する調整係数が１以下の正の数であるという条件下では、第１の画像の解像度は主画像解像度以上である。具体的には、第１の画像の解像度が主画像解像度よりも高い場合には、第１の画像内の主画像解像度のターゲット領域がトリミングされて主画像が取得され、第１の画像の解像度が主画像解像度に等しい場合には、第１の画像が主画像になる。
【００２７】
Ｓ１０５では、第２の画像は、補助画像解像度の補助画像に変換される。
【００２８】
第２の画像は補助カメラにより撮影され、第２の画像の解像度は補助カメラの解像度と同じであり、補助画像解像度は補助カメラの解像度に撮影モードに対応する調整係数を乗算することによって得られる。したがって、撮影モードに対応する調整係数が１以下の正の数であるという条件下では、第２の画像の解像度は補助画像解像度以上である。具体的には、第２の画像の解像度が補助画像解像度よりも高い場合には、第２の画像内の補助画像解像度のターゲット領域がトリミングされて補助画像が取得され、第２の画像の解像度が補助画像解像度に等しい場合には、第２の画像が補助画像である。
【００２９】
Ｓ１０６では、主画像の奥行き情報が主画像および補助画像に従って計算される。
【００３０】
具体的には、主画像と補助画像はそれぞれ異なるカメラで撮影されており、２つのカメラの間には一定の距離があるため、視差が形成される。三角測距原理によれば、主画像と補助画像内の同じ対象物の奥行き情報、すなわち、対象物と、主カメラおよび補助カメラが位置する平面との間の距離を計算することができる。
【００３１】
プロセスを明確に説明するために、三角測距原理を以下に簡単に紹介する。
【００３２】
実際のシナリオでは、写真視野の奥行きは、目で解決される場合、主に両眼視によって解決される。これは、ダブルカメラで奥行きを解決する原理と同じである。本実施形態では、主画像および補助画像に従って主画像の奥行き情報を算出するための主な方法は、三角測距原理である。図２は、三角測距原理の概略図である。
【００３３】
図２では、撮像対象物、２つのカメラの位置ＯＲとＯＴ、および２つのカメラの焦点面が実際の空間に描かれ、焦点面と２つのカメラが位置する平面との間の距離はｆであり、２つのカメラは焦点面の位置で撮像を実行し、それによって２つの撮影画像を取得する。
【００３４】
ＰとＰ’は、それぞれ異なる撮影画像内の同じ対象物の位置である。Ｐと対応する撮影画像の左側の境界との間の距離はＸＲであり、Ｐ’と対応する撮影画像の左側の境界との間の距離はＸＴである。ＯＲとＯＴはそれぞれ２つのカメラであり、２つのカメラは距離Ｂで同じ平面に配置されている。
【００３５】
三角測距原理に基づいて、図２で対象物と２つのカメラが配置されている平面との間の距離Ｚには、次の関係がある。
【数１】
2020533883.tif 000003
【００３６】
そのような根拠に基づいて、
【数２】
2020533883.tif 000004
【００３７】
を計算することができ、ｄは、異なる撮影画像における同じ対象物の位置の間の距離差である。Ｂとｆは固定値であるから、対象物の距離Ｚはｄに従って決定することができる。
【００３８】
Ｓ１０７では、必要なターゲット画像を取得するために、主画像の奥行き情報に従って主画像に対してぼかし処理が実行される。
【００３９】
具体的には、主画像の奥行き情報を計算した後に、主画像内の対象物の奥行き情報に従って、対象物が前景であるか背景であるかを判定することができる。一般的に、対象物が主カメラと補助カメラが配置されている平面に比較的近く、奥行き値が比較的小さいことを奥行き情報が示す場合、対象物は前景であると判断することができ、そうでなければ対象物は背景である。
【００４０】
認識された背景にぼかし処理を実行して、ターゲット画像を取得することができる。ターゲット画像では、前景がより強調され、背景がぼやけており、前景に焦点を合わせた撮像効果が実現している。
【００４１】
本出願の実施形態のダブルカメラベースの撮像のための方法では、主カメラが第１の画像を取得し、補助カメラが第２の画像を取得し、主画像解像度および補助画像解像度が、それぞれ決定された撮影モードおよび主カメラと補助カメラの解像度に従って決定され、第１の画像が主画像解像度の主画像に変換され、第２の画像が補助画像解像度の補助画像に変換され、主画像の奥行き情報が主画像と補助画像に従って取得され、必要なターゲット画像を得るために、主画像に対してぼかし処理が実行される。主画像解像度および補助画像解像度は、撮影モードと主カメラと補助カメラの解像度に従って決定され、撮影画像の解像度の調整を実施して、通常、画像が撮影された後に後続の画像処理のためにダブルカメラによって固定解像度が採用されて、比較的多様化されていない機能が得られ、ユーザが要件に従って解像度を調整できないようになるという従来技術の技術的問題を解決する。
【００４２】
前の実施形態に基づいて、撮像効果を確保するだけでなく、撮影画像の解像度も柔軟に調整できる方法を実施するために、異なる撮影モードで主画像と補助画像解像度を決定する方法をより明確に説明するために、本出願の一実施形態は、ダブルカメラベースの撮像のための方法の別の可能な実施モードを提供する。
【００４３】
図３は、本開示の一実施形態によるダブルカメラベースの撮像のための別の方法のフローチャートである。図３に示すように、本方法は以下の操作を含む。
【００４４】
Ｓ３０１では、ダブルカメラの主カメラと補助カメラが周囲輝度に従って決定される。
【００４５】
具体的には、可能な実施態様として、周囲輝度を測定するために独立した測光器が採用されてもよい。
【００４６】
別の可能な実施態様として、第１のカメラおよび第２のカメラによって自動的に調整されるＩＳＯ値を読み取ることができ、読み取られたＩＳＯ値に従って周囲輝度が決定される。通常、第１のカメラと第２のカメラは同じＩＳＯ値を採用する必要があるので、ＩＳＯ値を採用することで対応する周囲輝度が決定されてもよい。しかしながら、第１のカメラの読み取られたＩＳＯ値と第２のカメラのＩＳＯ値が異なる場合には、対応する周囲輝度は、２つの平均値に従って決定されてもよい。
【００４７】
ＩＳＯ値は、カメラのＩＳＯ値を示すように構成されていることに留意されたい。一般的なＩＳＯ値は、５０、１００、２００、４００、１，０００などを含む。カメラは、周囲輝度に従って自動的にＩＳＯ値を設定してもよい。したがって、本実施形態では、ＩＳＯ値に従って周囲輝度を逆算してもよい。一般に、十分な光の条件下ではＩＳＯ値は５０または１００であり、不十分な光の条件下ではＩＳＯ値は４００以上になり得る。
【００４８】
ダブルカメラは、第１のカメラと第２のカメラを含む。第１のカメラの解像度は第２のカメラの解像度よりも高く、第２のカメラのＩＳＯ値は第１のカメラのＩＳＯ値よりも高くなる。例えば、第１のカメラは１６ＭＰカメラであり、第２のカメラは８ＭＰカメラであってもよい。
【００４９】
具体的には、周囲輝度がしきい値輝度よりも高い場合には、第１のカメラが主カメラとして決定され、第２のカメラが補助カメラとして決定される。周囲輝度がしきい値輝度以下である場合には、第２のカメラが主カメラとして決定され、第１のカメラが補助カメラとして決定される。
【００５０】
これは、周囲輝度がしきい値輝度以下である条件下で光が不十分な場合に主カメラとして高解像度カメラを撮影のために採用すると、より多くのノイズが発生し、撮像効果が低下する可能性があるためである。したがって、十分な光がある場合には、画像のノイズを減らし、撮像効果を向上させるために、高ＩＳＯカメラを主カメラとして撮影に採用することができる。
【００５１】
逆に、周囲輝度がしきい値の輝度よりも高いという条件下で十分な光がある場合、高解像度カメラの解像度は比較的高く、ノイズの少ない比較的鮮明な画像を形成できるので、高解像度カメラは主カメラとしての撮影に採用され、高ＩＳＯカメラは補助カメラとして比較的正確な奥行き情報を計算するために採用される。したがって、撮像効果が向上する。
【００５２】
Ｓ３０２では、主カメラにより第１の画像が取得され、補助カメラにより第２の画像が取得される。
【００５３】
例えば、周囲輝度がしきい値輝度よりも高い場合、解像度が１６Ｍである第１のカメラが主カメラとして決定され、それによって撮影される第１の画像の解像度は１６Ｍであり、解像度が８Ｍである第２のカメラが補助カメラとして決定され、それによって撮影される第２の画像の解像度は８Ｍである。
【００５４】
周囲輝度がしきい値の輝度より低い場合、解像度が８Ｍである第２のカメラが主カメラとして決定され、それによって撮影される第１の画像の解像度は８Ｍであり、解像度が１６Ｍである第１のカメラが補助カメラとして決定され、それによって撮影される第２の画像の解像度は１６Ｍである。
【００５５】
Ｓ３０３では、選択された撮影モードと、主カメラの解像度、補助カメラの解像度、撮影モードに対応する調整係数とに従って、主画像解像度と補助画像解像度が取得される。
【００５６】
具体的には、撮影モードには、フルレングスモードとハーフレングスモードが含まれる。フルレングスモードに対応する調整係数は、ハーフレングスモードに対応する調整係数よりも高くなる。可能な実施モードとして、フルレングスモードに対応する調整係数は１で、ハーフレングスモードに対応する調整係数は０．５である。
【００５７】
例えば、ユーザが選択した撮影モードがフルレングスモードの場合、周囲輝度がしきい値の輝度よりも高い場合には、主カメラの解像度１６Ｍおよび補助カメラの解像度８Ｍに、フルレングスモードに対応する調整係数１を乗算して、それぞれ主画像解像度１６Ｍおよび補助画像解像度８Ｍが得られ、周囲輝度がしきい値の輝度より低い場合、主カメラの解像度８Ｍと補助カメラの解像度１６Ｍに、フルレングスモードに対応する調整係数１を乗算して、それぞれ主画像解像度８Ｍおよび補助画像解像度１６Ｍが得られる。
【００５８】
例えば、ユーザが選択した撮影モードがハーフレングスモードの場合、周囲輝度がしきい値の輝度よりも高い場合には、主カメラの解像度１６Ｍおよび補助カメラの解像度８Ｍにハーフレングスモードに対応する調整係数０．５を乗算して、それぞれ主画像解像度８Ｍおよび補助画像解像度４Ｍが得られ、周囲輝度がしきい値の輝度よりも低い場合には、主カメラの解像度８Ｍおよび補助カメラの解像度１６Ｍにハーフレングスモードに対応する調整係数０．５を乗算して、それぞれ主画像解像度４Ｍおよび補助画像解像度８Ｍが得られる。
【００５９】
なお、フルレングスモードおよびハーフレングスモードに対応する調整係数は、実施形態において特に限定されない特定の条件に従って当業者によって設定されてもよいことに留意されたい。同じ原理が採用されているため、ここでは詳細な説明はしない。
【００６０】
Ｓ３０４では、第１の画像の解像度が主画像解像度よりも高い場合、第１の画像がトリミングされて主画像解像度の主画像が取得される。
【００６１】
ターゲット領域は、第１の画像の中央領域である。撮影画像の周辺部が歪んでおり、中央領域の画像品質が比較的高いため、主画像として第１の画像の中央領域をトリミングすることで、主画像の画像品質を保証することができる。
【００６２】
具体的には、周囲輝度がしきい値輝度よりも高い場合、第１の画像の解像度は１６Ｍである。ユーザが現在フルレングスモードを選択している場合には、主画像解像度は１６Ｍであり、第１の画像の解像度は主画像解像度と同じであり、第１の画像をトリミングする必要はなく、第１の画像は主画像として直接決定され、主画像解像度は１６Ｍであり、ユーザが現在ハーフレングスモードを選択している場合には、主画像解像度は８Ｍであり、第１の画像の解像度は主画像解像度よりも高く、主画像解像度８Ｍの領域は、主画像として第１の画像の中央領域からトリミングされ、主画像解像度は８Ｍである。
【００６３】
周囲輝度がしきい値の輝度より低い場合、第１の画像の解像度は８Ｍである。ユーザが現在フルレングスモードを選択している場合には、主画像解像度は８Ｍであり、第１の画像の解像度は主画像解像度と同じであり、第１の画像をトリミングする必要はなく、第１の画像は主画像として直接決定され、主画像解像度は８Ｍであり、ユーザが現在ハーフレングスモードを選択している場合には、主画像解像度は４Ｍであり、第１の画像の解像度８Ｍは主画像解像度４Ｍよりも高く、主画像解像度が４Ｍの領域は、主画像として第１の画像の中央領域からトリミングされ、主画像解像度は４Ｍである。
【００６４】
Ｓ３０５では、第２の画像の解像度が補助画像解像度よりも高い場合、第２の画像がトリミングされて、補助画像解像度の補助画像が取得される。
【００６５】
具体的には、周囲輝度がしきい値輝度よりも高い場合、第２の画像の解像度は８Ｍである。ユーザが現在フルレングスモードを選択している場合には、補助画像解像度は８Ｍで、第２の画像の解像度は補助画像解像度と同じであり、第２の画像をトリミングする必要はなく、第２の画像は補助画像として直接決定され、補助画像解像度は８Ｍであり、ユーザが現在ハーフレングスモードを選択している場合には、補助画像解像度は４Ｍで、第２の画像の解像度は補助画像解像度よりも高く、補助画像解像度が４Ｍの領域は、補助画像として第２の画像の中央領域からトリミングされ、補助画像解像度は４Ｍである。
【００６６】
周囲輝度がしきい値の輝度より低い場合、第２の画像の解像度は１６Ｍである。ユーザが現在フルレングスモードを選択している場合には、補助画像解像度は１６Ｍで、第２の画像の解像度は補助画像解像度と同じであり、第２の画像をトリミングする必要はなく、第２の画像は補助画像として直接決定され、補助画像解像度は１６Ｍであり、ユーザが現在ハーフレングスモードを選択している場合には、補助画像解像度は８Ｍ、第２の画像の解像度１６Ｍは補助画像解像度８Ｍよりも高く、補助画像解像度が８Ｍの領域は、補助画像として第２の画像の中央領域からトリミングされ、補助画像解像度は８Ｍである。
【００６７】
Ｓ３０６では、主画像および補助画像に従って主画像の奥行き情報が取得される。
【００６８】
具体的には、主画像の奥行き情報は、主画像および補助画像における同じ対象物の位置偏差およびダブルカメラのパラメータに従って決定される。
【００６９】
特定の計算プロセスは、上記の実施形態における操作Ｓ１０６に関する関連する説明を参照し、本実施形態では詳述されない。
【００７０】
Ｓ３０７では、必要なターゲット画像を取得するために、主画像の奥行き情報に従って主画像に対してぼかし処理が実行される。
【００７１】
具体的には、主画像の奥行き情報を計算した後に、主画像内の対象物の奥行き情報に従って、対象物が前景であるか背景であるかを判定することができる。一般的に、対象物が主カメラと補助カメラが配置されている平面に比較的近く、奥行き値が比較的小さいことを奥行き情報が示す場合、対象物は前景であると判断することができ、そうでなければ対象物は背景である。
【００７２】
認識された背景にぼかし処理を実行して、ターゲット画像を取得することができる。ターゲット画像では、前景がより強調され、背景がぼやけており、前景に焦点を合わせた撮像効果が実現している。
【００７３】
Ｓ３０８では、主画像解像度が補助画像解像度より低い場合には、アップサンプリングがターゲット画像に対して実行され、アップサンプリングされたターゲット画像の解像度は補助画像解像度に等しい。
【００７４】
具体的には、操作Ｓ３０３で説明したように、周囲輝度がしきい値の輝度よりも低い場合、取得した主画像解像度が補助画像解像度よりも低く、ターゲット画像の解像度でアップサンプリングが実行され、例えば、アップサンプリングには補間法が採用され、アップサンプリングによって取得されたターゲット画像の解像度は、補助画像解像度に等しくなる。
【００７５】
例えば、フルレングスモードでは、主画像解像度は８Ｍで、補助画像解像度は１６Ｍであり、主画像のぼかし処理によって得られるターゲット画像の解像度は８Ｍであり、ターゲット画像に対してアップサンプリングが実行され、解像度が１６Ｍのターゲット画像が取得され、アップサンプリングされたターゲット画像の解像度は、補助画像解像度に等しく、１６Ｍである。
【００７６】
これは、暗い環境で主画像を取得するために、比較的低い解像度と比較的高いＩＳＯ値を有する第２のカメラが選択され、主画像は、解像度が比較的低いが画像品質が高いためである。主画像に対してアップサンプリングが実行されるため、暗い環境での画像品質が確保され、ターゲット画像の解像度が向上し、ターゲット画像の解像度は比較的高い補助画像解像度に等しくなる。
【００７７】
本出願の実施形態のダブルカメラベースの撮像のための方法では、主カメラが第１の画像を取得し、補助カメラが第２の画像を取得し、主画像解像度および補助画像解像度が、それぞれ決定された撮影モードおよび主カメラと補助カメラの解像度に従って決定され、第１の画像が主画像解像度の主画像に変換され、第２の画像が補助画像解像度の補助画像に変換され、主画像の奥行き情報が主画像と補助画像に従って取得され、必要なターゲット画像を得るために、主画像に対してぼかし処理が実行される。主画像解像度と補助画像解像度は、撮影モードの解像度と主カメラと補助カメラの解像度に従って決定され、撮影画像の解像度の調整を実施する。フルレングスモードは完全解像度の撮像を指し、より鮮明な画像が形成され得るが、ハーフレングスモードは、撮像のために元の画像から中央領域をトリミングすることを指し、画像の周辺部の歪みの影響を軽減し、被写体をより強調することができ、同時に処理速度が向上する。２つのモードを切り替えて、同様のズーム効果を実現することもできる。
【００７８】
上述の実施形態を実施するために、本開示は、ダブルカメラベースの撮像のための装置をさらに開示する。
【００７９】
図４は、本出願の一実施形態によるダブルカメラベースの撮像のための装置の構成図である。図４に示すように、装置は、取得モジュール４１、決定モジュール４２、変換モジュール４３、被写界深度モジュール４４、および処理モジュール４５を含む。
【００８０】
取得モジュール４１は、主カメラにより第１の画像を取得し、補助カメラにより第２の画像を取得するように構成される。
【００８１】
決定モジュール４２は、選択された撮影モードを決定し、撮影モードおよび主カメラの解像度に従って主画像解像度を決定し、撮影モードおよび補助カメラの解像度に従って補助画像解像度を決定するように構成される。撮影モードは、フルレングスモードおよびハーフレングスモードを含む。
【００８２】
変換モジュール４３は、第１の画像を主画像解像度の主画像に変換し、第２の画像を補助画像解像度の補助画像に変換するように構成される。
【００８３】
被写界深度モジュール４４は、主画像および補助画像に従って主画像の奥行き情報を取得するように構成される。
【００８４】
処理モジュール４５は、必要なターゲット画像を取得するために、主画像の奥行き情報に従って主画像にぼかし処理を実行するように構成される。
【００８５】
上述の方法の実施形態に関する説明および記述は、実施形態の装置にも適用され、本明細書では詳述されないことに留意されたい。
【００８６】
本出願の実施形態のダブルカメラベースの撮像のための装置では、取得モジュールは、主カメラで第１の画像を取得し、補助カメラで第２の画像を取得するように構成され、決定モジュールは、選択された撮影モードを決定し、撮影モードおよび主カメラの解像度に従って主画像解像度を決定し、撮影モードおよび補助カメラの解像度に従って補助画像解像度を決定するように構成され、変換モジュールは、第１の画像を主画像解像度の主画像に変換し、第２の画像を補助画像解像度の補助画像に変換するように構成され、被写界深度モジュールは、主画像および補助画像に従って主画像の奥行き情報を取得するように構成され、処理モジュールは、必要なターゲット画像を取得するために、主画像の奥行き情報に従って主画像にぼかし処理を実行するように構成される。本実施形態では、主画像解像度および補助画像解像度は、撮影モードと主カメラと補助カメラの解像度に従って決定され、撮影画像の解像度の調整を実施して、通常、画像が撮影された後に後続の画像処理のためにダブルカメラによって固定解像度が採用されて、比較的多様化されていない機能が得られ、ユーザが要件に従って解像度を調整できないようになるという従来技術の技術的問題を解決する。
【００８７】
上述の実施形態に基づいて、本出願は、ダブルカメラベースの撮像のための装置の可能な実施モードをさらに開示する。図５は、本出願の一実施形態によるダブルカメラベースの撮像のための別の装置の構成図である。図５に示すように、前の実施形態に基づいて、装置は、スイッチングモジュール４６およびアップサンプリングモジュール４７をさらに含むことができる。
【００８８】
スイッチングモジュール４６は、周囲輝度がしきい値輝度よりも高い場合には、第１のカメラを主カメラとして決定し、第２のカメラを補助カメラとして決定し、周囲輝度がしきい値の輝度より低い場合には、第２のカメラを主カメラとして決定し、第１のカメラを補助カメラとして決定するように構成される。
【００８９】
アップサンプリングモジュール４７は、主画像解像度が補助画像解像度よりも低い場合に、ターゲット画像に対してアップサンプリングを実行するように構成され、アップサンプリングされたターゲット画像の解像度は補助画像解像度に等しい。本出願の実施形態の可能な実施モードでは、決定モジュール４２は、第１の演算ユニット４２１および第２の演算ユニット４２２をさらに含むことができる。
【００９０】
第１の演算ユニット４２１は、主カメラの解像度および撮影モードに対応する調整係数に従って、主画像解像度を取得するように構成されている。
【００９１】
第２の演算ユニット４２２は、補助カメラの解像度および撮影モードに対応する調整係数に従って補助画像解像度を取得するように構成されている。
【００９２】
さらに、本出願の実施形態の可能な実施モードでは、変換モジュール４３は、具体的には、第１の画像の解像度が主画像解像度よりも高い場合には、主画像解像度の主画像を取得するために第１の画像をトリミングし、第２の画像の解像度が補助画像解像度よりも高い場合には、補助画像解像度の補助画像を取得するために第２の画像をトリミングするように構成されてもよい。
【００９３】
上述の方法の実施形態に関する説明および記述は、実施形態の装置にも適用され、本明細書では詳述されないことに留意されたい。
【００９４】
本出願の実施形態のダブルカメラベースの撮像のための装置では、取得モジュールは、主カメラで第１の画像を取得し、補助カメラで第２の画像を取得するように構成され、決定モジュールは、選択された撮影モードを決定し、撮影モードおよび主カメラの解像度に従って主画像解像度を決定し、撮影モードおよび補助カメラの解像度に従って補助画像解像度を決定するように構成され、変換モジュールは、第１の画像を主画像解像度の主画像に変換し、第２の画像を補助画像解像度の補助画像に変換するように構成され、被写界深度モジュールは、主画像および補助画像に従って主画像の奥行き情報を取得するように構成され、処理モジュールは、必要なターゲット画像を取得するために、主画像の奥行き情報に従って主画像にぼかし処理を実行するように構成される。本実施形態では、主画像解像度と補助画像解像度は、撮影モードと主カメラと補助カメラの解像度に従って決定され、撮影画像の解像度の調整を実施する。フルレングスモードは完全解像度の撮像を指し、より鮮明な画像が形成され得るが、ハーフレングスモードは、撮像のために元の画像から中央領域をトリミングすることを指し、画像の周辺部の歪みの影響を軽減し、被写体をより強調することができ、同時に処理速度が向上する。２つのモードを切り替えて、同様のズーム効果を実現することもできる。
【００９５】
上述の実施形態を実施するために、本開示はさらにモバイル端末を開示する。図６は、本開示の別の実施形態による端末機器の構成図である。図６に示すように、端末機器１０００は、シェル１１００、ならびにシェル１１００に配置された第１のカメラ１１１２、第２のカメラ１１１３、メモリ１１１４およびプロセッサ１１１５を含む。
【００９６】
実行可能プログラムコードがメモリ１１１４に格納され、プロセッサ１１１５がメモリ１１１４に格納された実行可能プログラムコードを読み取り、実行可能プログラムコードに対応するプログラムを実行し、ダブルカメラの主カメラと補助カメラを決定し、主カメラと補助カメラを制御して撮影して、上記の方法の実施形態のダブルカメラベースの撮像のための方法を実施する。
【００９７】
第１のカメラの解像度は第２のカメラの解像度よりも高く、第２のカメラのＩＳＯ値は第１のカメラのＩＳＯ値よりも高くなる。
【００９８】
第１のカメラに高解像度を与えるために、１６Ｍカメラが採用されてもよく、もちろん、別の高解像度カメラも採用されてもよい。本実施形態はこれに限定されない。
【００９９】
さらに、第２のカメラに高いＩＳＯ値を与えるために、８Ｍカメラを採用してより大きなピクセル粒子と高ＩＳＯ値を確保してもよく、もちろん、別の高ＩＳＯカメラを採用してもよい。本実施形態はこれに限定されない。
【０１００】
上述の実施形態を実施するために、本開示は、コンピュータプログラムが格納されるコンピュータ可読記憶媒体をさらに開示する。プログラムは、上述の実施形態におけるダブルカメラベースの撮像のための方法を実施するために、モバイル端末のプロセッサによって実行される。
【０１０１】
モバイル端末は、画像処理回路をさらに含み、画像処理回路は、ハードウェアおよび／またはソフトウェア構成要素の使用によって実装されてもよく、画像信号処理（ＩＳＰ）パイプラインを定義する様々な処理ユニットを含んでもよい。図７は、一実施形態による画像処理回路の概略図である。図７に示すように、本開示の実施形態に関連する画像処理技術の各態様は、便宜的な説明のためにのみ示されている。
【０１０２】
図７に示すように、画像処理回路は、ＩＳＰユニット９４０と制御論理ユニット９５０を含む。撮像機器９１０によって取り込まれた画像データは、最初にＩＳＰユニット９４０によって処理され、ＩＳＰユニット９４０は画像データを解析して、ＩＳＰユニットおよび／または撮像機器９１０の１つまたは複数の制御パラメータを決定するために構成可能な画像統計情報を取り込む。撮像機器９１０は具体的には２つのカメラを含むことができ、各カメラは１つまたは複数のレンズ９１２と画像センサ９１４とを含むことができる。画像センサ９１４は、カラーフィルタアレイ（例えば、ベイヤーフィルタ）を含むことができ、画像センサ９１４は、画像センサ９１４の各撮像ピクセルによって取り込まれた光強度および波長情報を取得し、ＩＳＰユニット９４０に処理可能な元の画像データのセットを提供することができる。センサ９２０は、センサ９２０のインターフェースタイプに基づいて、ＩＳＰユニット９４０に元の画像データを提供することができる。センサ９２０のインターフェースは、標準モバイル撮像アーキテクチャ（ＳＭＩＡ）インターフェース、別のシリアルまたはパラレルカメラインターフェース、またはインターフェースの組み合わせを採用してもよい。
【０１０３】
ＩＳＰユニット９４０は、複数のフォーマットに従ってピクセルごとに元の画像データを処理する。例えば、各画像ピクセルのビット深度は８、１０、１２、または１４ビットである。ＩＳＰユニット９４０は、元の画像データに対して１つまたは複数の画像処理操作を実行し、画像データに関する画像統計情報を収集することができる。画像処理操作は、同じまたは異なるビット深度精度に従って実行されてもよい。
【０１０４】
ＩＳＰユニット９４０は、画像メモリ９３０からピクセルデータをさらに受信することができる。例えば、センサ９２０のインターフェースは、元のピクセルデータを画像メモリ９３０に送り、画像メモリ９３０内の元のピクセルデータは、処理のためにＩＳＰユニット９４０に提供される。画像メモリ９３０は、メモリ装置、記憶機器、または電子機器内の独立した専用メモリの一部であってもよく、ダイレクトメモリアクセス（ＤＭＡ）機能を含んでもよい。
【０１０５】
センサ９２０のインターフェースまたは画像メモリ９３０から元の画像データを受信すると、ＩＳＰユニット９４０は、１つまたは複数の画像処理操作、例えば時間領域フィルタリングを実行することができる。処理された画像データは、表示前に他の処理のために画像メモリ９３０に送られてもよい。ＩＳＰユニット９４０は、画像メモリ９３０から処理されたデータを受信し、処理されたデータ上で元の領域および色空間赤、緑、青（ＲＧＢ）およびＹＣｂＣｒで画像データ処理を実行する。処理された画像データは、ユーザが見るため、および／またはグラフィック処理ユニット（ＧＰＵ）によるさらなる処理のためにディスプレイ９７０に出力されてもよい。加えて、ＩＳＰユニット９４０の出力はさらに画像メモリ９３０に送られてもよく、ディスプレイ９７０は画像メモリ９３０から画像データを読み取ってもよい。一実施形態では、画像メモリ９３０は、１つまたは複数のフレームバッファを実装するように構成されてもよい。さらに、ＩＳＰユニット９４０の出力は、画像データを符号化／復号化するために符号器／復号器９６０に送られてもよい。符号化された画像データは格納されてもよく、ディスプレイ９７０に表示される前に解凍される。符号器／復号器９６０は、中央処理装置（ＣＰＵ）またはＧＰＵまたはコプロセッサによって実装されてもよい。
【０１０６】
ＩＳＰユニット９４０によって決定された統計情報は、制御論理ユニット９５０に送られてもよい。例えば、統計情報は、画像センサ９１４の自動露出、自動ホワイトバランス、自動合焦、フラッシュ検出、黒レベル補正、レンズ９１２のシェーディング補正などの統計情報を含むことができる。制御論理ユニット９５０は、１つまたは複数のルーチン（例えば、ファームウェア）を実行するプロセッサおよび／またはマイクロコントローラを含むことができ、１つまたは複数のルーチンは、撮像機器９１０の制御パラメータおよびＩＳＰユニットの制御パラメータを受信した統計データに従って決定することができる。例えば、制御パラメータは、センサ９２０の制御パラメータ（例えば、ゲインおよび露出制御の積分時間）、カメラフラッシュ制御パラメータ、レンズ９１２のための制御パラメータ（例えば、焦点調整またはズームのための焦点距離）またはこれらのパラメータの組み合わせを含んでもよい。ＩＳＰユニットの制御パラメータは、自動ホワイトバランスおよび色調整（例えば、ＲＧＢ処理中）およびレンズ９１２のシェーディング補正パラメータ用に構成されたゲインレベルおよび色補正マトリックスを含んでもよい。
【０１０７】
明細書の説明において、「実施形態」、「いくつかの実施形態」、「例」、「特定の例」、「いくつかの例」などの用語を参照した説明は、その特定の特徴、構造、材料、または実施形態もしくは例と組み合わせて説明される特徴を参照し、本開示の少なくとも１つの実施形態または例に含まれる。本明細書では、これらの用語は、同じ実施形態または例について常に概略的に表現されているわけではない。さらに、特定の記載された特徴、構造、材料、または特性は、任意の１つまたは複数の実施形態もしくは例において適切な方法で組み合わせることができる。加えて、当業者は、明細書に記載された異なる実施形態もしくは例および異なる実施形態もしくは例の特徴を矛盾なく統合および組み合わせることができる。
【０１０８】
さらに、「第１」および「第２」という用語は説明のためにのみ採用されており、相対的な重要性を示したり暗示したり、暗示的に示す技術的特徴の数を意味すると理解すべきではないしたがって、「第１」と「第２」によって定義される特徴は、少なくとも１つのそのような特徴の包含を明示的または暗黙的に示してもよい。本開示の説明において、「複数の」は、特に明確かつ具体的に限定されない限り、少なくとも２つ、例えば２つおよび３つを意味する。
【０１０９】
別の方法でフローチャートまたは本明細書で説明されたプロセスまたは方法は、特定の論理機能またはプロセスの操作を実現するように構成された１つまたは複数の実行可能命令のコードを含むモジュール、セグメントまたは部分を表すと理解することができ、さらに、本開示の好ましい実施モードの範囲は、本明細書に示されたまたは説明された順序ではなく、基本的に同時に、または関連する機能に従って逆の順序で機能を実行することを含む、他の実施態様を含む。これは、本開示の実施形態の当業者によって理解されるべきである。
【０１１０】
フローチャートで表されるか、または本明細書で別の方法で説明された論理および／または操作は、例えば、論理機能を実現するように構成された実行可能命令の固定シーケンスリストと見なされ、命令実行システム、装置、または機器と組み合わせて使用するために、命令実行システム、装置、または機器（例えば、コンピューターベースのシステム、プロセッサまたは命令実行システム、装置または機器から命令を読み取り、命令を実行できる別のシステムを含むシステム）のためのコンピュータ可読媒体に具体的に実装することができる。本明細書では、「コンピュータ可読媒体」は、命令実行システム、装置、または機器と組み合わせて使用するために、命令実行システム、装置、または機器用のプログラムを含む、格納する、通信する、伝播する、または送信することができる任意の装置であってもよい。コンピュータ可読媒体のより具体的な例（非網羅的なリスト）には、１つまたは複数のワイヤを備えた電気接続部分（電子装置）、ポータブルコンピュータディスク（磁気装置）、ランダムアクセスメモリ（ＲＡＭ）、読み取り専用メモリ（ＲＯＭ）、消去可能プログラマブルＲＯＭ（ＥＰＲＯＭ）（またはフラッシュメモリ）、光ファイバー装置、およびポータブルコンパクトディスク読み取り専用メモリ（ＣＤ−ＲＯＭ）が含まれる。加えて、コンピュータ可読媒体は、プログラムが印刷され得る紙または別の媒体であってもよく、それは、例えば、紙または他の媒体を光学的にスキャンし、編集、説明、または必要に応じて別の適切な方法で処理して、コンピュータメモリに保存するための電子的な方法でプログラムを取得できるからである。
【０１１１】
本開示の各部分は、ハードウェア、ソフトウェア、ファームウェア、またはそれらの組み合わせによって実施できることを理解されたい。上記の実施モードでは、メモリに格納され、適切な命令実行システムによって実行されるソフトウェアまたはファームウェアによって複数の操作または方法を実施することができる。例えば、別の実施モードのようなハードウェアによる実施態様の場合、当技術分野で周知の技術、すなわち、データ信号の論理機能を実現するように構成された論理ゲート回路を備えたディスクリート論理回路、適切に組み合わされた論理ゲート回路を備えた特定用途向け集積回路、プログラマブルゲートアレイ（ＰＧＡ）、フィールドプログラマブルゲートアレイ（ＦＰＧＡ）などの、いずれかまたは組み合わせを実施に採用することができる。
【０１１２】
上述の実施形態の方法における操作のすべてまたは一部は、プログラムによって命令される関連ハードウェアを介して完了してもよいことを当業者は理解すべきであり、プログラムはコンピュータ可読記憶媒体に格納されてもよく、プログラムが実行されるとき、方法の実施形態の操作の１つまたは組み合わせが含まれる。
【０１１３】
さらに、本開示の各実施形態の各機能ユニットは処理モジュールに統合されてもよく、各ユニットは物理的に独立して存在してもよく、２つまたは３つ以上のユニットもモジュールに統合されてもよい。統合モジュールは、ハードウェア形式で実施されてもよく、ソフトウェア機能モジュールの形式で実施されてもよい。ソフトウェア機能モジュールの形式で実施され、独立した製品として販売または使用される場合、統合モジュールはコンピュータ可読記憶媒体に格納されてもよい。
【０１１４】
記憶媒体は、読み取り専用メモリ、磁気ディスク、光ディスクなどであってもよい。以上、本開示の実施形態について示し、または説明した。しかし、上記の実施形態は例示であり、本開示に対する限定として理解するべきではなく、当業者は本開示の範囲内で上記の実施形態の変形、修正、置換、変換を行うことができることを理解することができる。
【図１】
2020533883.tif 000005
【図２】
2020533883.tif 000006
【図３】
2020533883.tif 000007
【図４】
2020533883.tif 000008
【図５】
2020533883.tif 000009
【図６】
2020533883.tif 000010
【図７】
2020533883.tif 000011
【手続補正書】
【提出日】令和2年3月10日(2020.3.10)
【手続補正１】
【補正対象書類名】特許請求の範囲
【補正対象項目名】全文
【補正方法】変更
【補正の内容】
【特許請求の範囲】
【請求項１】
ダブルカメラベースの撮像のための方法であって、
主カメラにより第１の画像を取得し、補助カメラにより第２の画像を取得するステップと、
選択された撮影モードを決定するステップと、
前記撮影モードおよび前記主カメラの解像度に従って主画像解像度を決定し、前記撮影モードおよび前記補助カメラの解像度に従って補助画像解像度を決定するステップと、
前記第１の画像を前記主画像解像度の主画像に変換するステップと、
前記第２の画像を前記補助画像解像度の補助画像に変換するステップと、
前記主画像および前記補助画像に従って必要なターゲット画像を取得するステップと、
を含む方法。
【請求項２】
前記主画像および前記補助画像に従って前記必要なターゲット画像を取得するステップは、
前記主画像および前記補助画像に従って前記主画像の奥行き情報を取得するステップと、
前記必要なターゲット画像を取得するために、前記主画像の前記奥行き情報に従って前記主画像にぼかし処理を実行するステップと、
を含む、請求項１に記載の方法。
【請求項３】
前記撮影モードおよび前記主カメラの前記解像度に従って前記主画像解像度を決定するステップは、
前記主カメラの前記解像度および前記撮影モードに対応する調整係数に従って前記主画像解像度を取得するステップを含む、請求項１に記載の方法。
【請求項４】
前記撮影モードおよび前記補助カメラの前記解像度に従って前記補助画像解像度を決定するステップは、
前記補助カメラの前記解像度および前記撮影モードに対応する前記調整係数に従って前記補助画像解像度を取得するステップを含む、請求項１に記載の方法。
【請求項５】
前記撮影モードは、フルレングスモードおよびハーフレングスモードを含み、前記フルレングスモードは、前記ハーフレングスモードに対応する調整係数よりも高い調整係数を有する、請求項３または４に記載の方法。
【請求項６】
前記第１の画像を前記主画像解像度の前記主画像に変換するステップは、
前記第１の画像の解像度が前記主画像解像度よりも高い場合、前記主画像解像度の前記主画像を取得するために前記第１の画像をトリミングするステップを含む、請求項１に記載の方法。
【請求項７】
前記第２の画像を前記補助画像解像度の前記補助画像に変換するステップは、
前記第２の画像の解像度が前記補助画像解像度よりも高い場合、前記補助画像解像度の前記補助画像を取得するために前記第２の画像をトリミングするステップを含む、請求項１に記載の方法。
【請求項８】
前記ダブルカメラは第１のカメラおよび第２のカメラを含み、前記第１のカメラの解像度は前記第２のカメラの解像度よりも高く、前記第２のカメラの国際標準化機構（ＩＳＯ）値は、前記第１のカメラのＩＳＯ値よりも高く、前記主カメラにより前記第１の画像を取得し、前記補助カメラにより前記第２の画像を取得するステップの前に、本方法は、
周囲輝度がしきい値輝度よりも高い場合に、前記第１のカメラを前記主カメラとして決定し、前記第２のカメラを前記補助カメラとして決定するステップと、
前記周囲輝度が前記しきい値輝度よりも高い場合に、前記第２のカメラを前記主カメラとして決定し、前記第１のカメラを前記補助カメラとして決定するステップと、
をさらに含む、請求項１に記載の方法。
【請求項９】
前記必要なターゲット画像を取得するために、前記主画像の前記奥行き情報に従って前記主画像にぼかし処理を実行するステップの後に、前記方法は、
前記主画像解像度が前記補助画像解像度よりも低い場合に、前記ターゲット画像に対してアップサンプリングを実行するステップであって、前記アップサンプリングされたターゲット画像の解像度は前記補助画像解像度に等しい、ステップをさらに含む、請求項２から４のいずれか一項に記載の方法。
【請求項１０】
ダブルカメラベースの撮像のための装置であって、
主カメラにより撮影された第１の画像を取得し、補助カメラにより撮影された第２の画像を取得するように構成された取得モジュールと、
選択された撮影モードを決定し、前記撮影モードおよび前記主カメラの解像度に従って主画像解像度を決定し、前記撮影モードおよび前記補助カメラの解像度に従って補助画像解像度を決定するように構成された決定モジュールであって、前記撮影モードは、フルレングスモードおよびハーフレングスモードを含む、決定モジュールと、
前記第１の画像に従って前記主画像解像度の主画像を生成し、前記第２の画像に従って前記補助画像解像度の補助画像を生成するように構成された生成モジュールと、
前記主画像および前記補助画像に従って必要なターゲット画像を取得するように構成された処理モジュールと、
を含む装置。
【請求項１１】
前記主画像および前記補助画像に従って前記主画像の奥行き情報を取得するように構成された被写界深度モジュールをさらに含み、
前記処理モジュールは、前記必要なターゲット画像を取得するために、前記主画像の前記奥行き情報に従って前記主画像にぼかし処理を実行するように構成される、請求項１０に記載の装置。
【請求項１２】
前記決定モジュールは、前記主カメラの前記解像度および前記撮影モードに対応する前記調整係数に従って前記主画像解像度を取得し、前記補助カメラの前記解像度および前記撮影モードに対応する前記調整係数に従って前記補助画像解像度を取得するように構成される、請求項１０に記載の装置。
【請求項１３】
プロセッサと、命令を格納するメモリとを含み、前記命令は、前記プロセッサによって実行されると、前記プロセッサに請求項１から９のいずれか一項に記載の方法を実行させる、モバイル端末。
【請求項１４】
第１のカメラおよび第２のカメラを含むダブルカメラであって、前記第１のカメラの解像度は前記第２のカメラの解像度よりも高く、前記第２のカメラのＩＳＯは前記第１のカメラのＩＳＯよりも高く、前記第１のカメラと前記第２のカメラの被写界角度は同じである、ダブルカメラをさらに含み、
前記プロセッサは、前記命令を実行して、前記ダブルカメラの主カメラおよび補助カメラを決定し、撮影するように前記主カメラおよび前記補助カメラを制御する、請求項１３に記載のモバイル端末。
【請求項１５】
コンピュータプログラムが格納され、前記コンピュータプログラムが、プロセッサによって実行されて、請求項１から９のいずれか一項に記載の方法を実施する、コンピュータ可読記憶媒体。
【国際調査報告】
2020533883.tif 000012
2020533883.tif 000013
2020533883.tif 000014